(57)【要約】      （修正有）【課題】就寝時に用いる枕の位置や高さを自在に調節できる枕の保持器具を提供する。【解決手段】就寝時に用いる枕を保持し頭の高さと首の角度を決めるため枕の保持器具の定置盤２に設けた螺旋状の芯材と結合するナット部材を手動で回転させて定置盤２と枕を保持する保持盤３の角度を自在に調節できる調節構造５、５’を有する。この枕の保持器具は保持盤３に枕を保持し、保持盤３を調節構造５、５’で上下に操作することで枕の高さの上下移動ができ、枕の高さと首と身体の角度調節ができる。【選択図】図３
0003220299.tif 000002
【実用新案登録請求の範囲】
【請求項１】
就寝時に用いる枕を保持し、頭の高さと身体と首の角度を螺旋状の芯材と結合するナット部材を回転させてで自在に調節できる構造を有する枕の保持器具。
【請求項２】
請求項１の自在に調節できる構造にテコの原理を用いた仕組みを有する枕の保持器具。
【請求項３】
請求項１の自在に調節できる構造に、電動によって枕の高さと首の角度が調節できる構造を付加した枕の保持器具。
【考案の詳細な説明】
【技術分野】
【０００１】  本考案は、あらかじめ枕の下に設置し、安眠と健康の促進に役立てる為、各人に合った枕の設置角度および高さを自在に調節が出来る構造を有する枕の保持器具器具に関するものである。
【背景技術】
【０００２】  従来から、本能的に就寝時の枕についての要望が多く、枕は構造においても種々雑多の発明と考案がなされてきたが、現時点において就寝時のアクシデントを解決するに至っていない背景がある。
【先行技術文献】
【特許文献】
【０００３】
【特許文献１】特開２００９−３５８７１．
【特許文献２】特開２０１０−２４０３６４．
【特許文献３】特開２０１２−１９６４５４．
【特許文献４】特開２０１６−１４０７３８．
【特許文献５】実願３２０６０８５．
【特許文献６】実願３２１５０４１．
【考案の概要】
【考案が解決しようとする課題】
【０００４】  従来、就寝の際には寝具を用いて睡眠をとるが、その際の枕は寝心地はもちろんのこと枕の形状が各人固有のものがあって、健康にも大きく関係するものである。【０００５】  これは、就寝する者の体形に合った枕を用いないと、必然的に快適な睡眠状態が得られず、肩や首が異常に凝って体調が悪くなる原因となることは常である。【０００６】  人体に於いて肩や首が凝る問題は、常習性や一時的な個性があり医学的にも原因の究明が困難であるが、就寝時における肩や首の異常は、枕の形状や用い方に起因するものが多く、人の就寝時には布団や毛布とともに用いる枕が体形と体調に合致していることが重要である。【０００７】  しかし、従来一般的に販売と使用されている枕は、デザインや形状などにこだわって、枕の販売に関わっており使用する方法や使用する角度などは論外なことである。【０００８】  就寝時における枕は、詳しい研究によると用いる角度や高さに関係して体調も変化し、病気の原因と治療にも関係が深いことが早くから分かっている。【０００９】  とくに、病気が治癒しても枕の用い方で、釈然としない不具合な病後の体調となることも多くの体験者が語っている。【００１０】  本考案は、このような枕に起因する就寝時の不具合を除去するため、枕の角度や高さが調節できる構造を有する枕の保持器具を設けることを課題とする。
【課題を解決するための手段】
【００１１】  本考案は、前述の課題を解決するため以下の様な対策を講じ、就寝時に枕を使用する者が、自分の体形と体調に合わせて容易に枕の高さならびに首と体位の角度が調節できる構造を付加した枕の保持器具を提供する。【００１２】  すなはち、就寝時に敷き布団の上方に位置する枕の位置に、本考案による枕の保持器具を定置して枕を保持し、就寝時に用いる枕の高さと角度が調節できる機能を備えた枕の保持器具の調節によって頭部を含めた上半身の最良の寝心地を確保することとする。【００１３】  本考案の枕の保持器具は、大きな丁番状の形態であり器具の内面には、枕の保持器具の定置盤と枕を保持する保持盤（以下保持盤）の一方を、開閉自在の丁番状の構造で連結してあり、合わせた定置盤と保持盤の間に、これを押し開きまたは閉じることが出来る調節機構を配置することとする。【００１４】  この枕の保持器具の定置盤と保持盤を開閉する作動は、開閉機構の手動によって自分の好みと体調に合わせた角度と枕の高さを総体的に調節して決める。【００１５】  従って、本考案の枕の保持器具を用いることによって、枕を介して快適な寝心地と安眠を保つことができ、体調を整え快適な安眠は健康の維持にも役立つこととなる。
【考案を実施するための最良の状態】
【００１６】  本考案の枕の保持器具の定置盤と保持盤は、主材料を木材またはプラスチック材で製作し、保持盤に保持した枕の高さや身体の角度を調整する構造は、金属加工によって螺旋状の部材を芯に螺旋状のナットを回転させる構造と上下する部位などを付加する。この場合、テコの構造によって保持した枕の角度や高さを調整する構造にすることもできる。
【００１７】  本考案の枕の保持器具の定置盤と保持盤は、一方を丁番状の構造で連結されており、一方を上下動することで枕の高さや頸部の角度を調節できる構造となる。
【００１８】  この際、螺旋状の部材は手動によって調節し、保持盤で枕を使用する者の好みで頭部の高さや首の角度を求めることとする。ただし、この構造の部材は電動で作動する構造とすることも考えられる。
【００１９】  従って、本考案の枕の保持器具を用いて、就寝時に適した頭部の高さや頸部の角度を決めて快適さを求めることで安眠が保たれ、就寝時の身体の不具合を是正し健康に大きく役立つこととなる。
【００２０】  本考案は、不治の病の如く体調不良で長年悩んでいた多くの者の実験と、枕を保持する器具に枕を置いて頭部を預け就寝時の頭部の保持と就寝時の首の角度を矯正するだけで病気による身体の体調の不具合を克服できた事例を基に考案したものである。
【実施例】
【００２１】  以下、本考案による実施例を図面に基づき説明する。【００２２】  図１は、本考案の枕の保持器具１を上面からの保持盤の形態であり、９は保持した枕８の中心がやや落ち込む形になって保持した枕のずれが防止できる開口部である。【００２３】  図２は本考案の枕の保持器具１の背面見取図であり、定置盤２と枕を保持する保持盤３は丁番４で連結している。【００２４】  図３において、定置盤２と保持盤３は、丁番４の反対側に螺旋状の芯材６と螺旋状に加工したナット７で連結され調節構造５および５’とする。【００２５】  図４と図５において、調節構造５および５’は螺旋状に加工された芯材６と螺旋状のナット７によって結合されているので、ナット７を回転させることで定置盤２と保持盤３を開閉し、就寝したとき保持盤２に保持した枕８の高さと枕８に置いた頭部１０の上下移動で快い頸部１１の角度に調節する。【００２６】  この場合、調節構造５および５’は、この仕組みによらずテコの応用や電動による構造とする余地がある。【００２７】  図６において、本考案の枕の保持器具１は、就寝者の頭部１０を保持盤３に枕８を保持した具合をナット７を回転させることにより保持盤３が上下して枕８の高さを調節し、その結果、頭部１０と頸部１１と身体１２の総体的な就寝時における角度が調節できる。
【産業上の利用可能性】
【００２８】  本考案の枕の保持器具は、日常の就寝時に用いる目的で開発したものであり、就寝時の枕の調節を基に身体の健康を図り最適の寝心地が追求できる。【００２９】  しかし、世間では就寝時の枕の不具合で多くの人が苦しんでいる事実は否めない。【００３０】  すなはち、就寝時における枕の所在と用い方が健康に大きく影響するものであって、多くの人の不可欠事項である。従って、枕によって快適な就寝状態を求めることが万人の求めることでもある。【００３１】  本発明の枕の保持器具は、前述の事実に基づき研究した結果到達した仕様であって、産業上の使用の可能性は十分にある。【００３２】  また、本考案の枕の保持器具は、簡単な構造であって部材の調達とともに生産性にも富んでいる。
【図面の簡単な説明】
【００３３】
【図１】本考案の枕の保持器具の平面の見取図。
【図２】本考案の枕の保持器具の背面の見取図。
【図３】本考案の枕の保持器具の正面の見取図。
【図４】本考案の枕の保持器具の右側面の見取図。
【図５】本考案の枕の保持器具の左側面の見取図。
【図６】本考案の枕の保持器具の保持盤の枕で就寝した状態の側面見取図。
【符号の説明】
【００３４】    １．  枕の保持器具。
２．  枕の保持器具の定置盤。
３．  枕の保持器具の枕を保持する保持盤。
４．  枕の保持器具の底面盤と上面盤を連結する丁番。
５    枕の保持器具の調節構造。
５’  枕の保持器具の調節構造。
６．  枕の保持器具を調節する螺旋状に加工した芯材。
７．  枕の保持器具を調節する螺旋状に加工したナット。
８．  枕。
９．  枕のずれ防止の開口部。
１０．就寝者の頭部。
１１．就寝者の頸部。
１２．就寝者の身体。
【図１】
0003220299.tif 000003
【図２】
0003220299.tif 000004
【図３】
0003220299.tif 000005
【図４】
0003220299.tif 000006
【図５】
0003220299.tif 000007
【図６】
0003220299.tif 000008
【手続補正書】
【提出日】平成30年12月3日(2018.12.3)
【手続補正１】
【補正対象書類名】実用新案登録請求の範囲
【補正対象項目名】全文
【補正方法】変更
【補正の内容】
【実用新案登録請求の範囲】
【請求項１】
就寝時に用いる枕を保持し頭の高さと首の角度を決めるため枕の保持器具の定置盤に設けた螺旋状の芯材と結合するナット部材を手動で回転させて定置盤と枕を保持する保持盤の角度を自在に調節できる構造を有する枕の保持器具。
【請求項２】
請求項１に記載の螺旋状の芯材と結合するナット部材を手動で回転させる構造に代えて自在に調節できる構造にテコの原理を用いた仕組を用いて定置盤と枕を保持する保持盤の角度を自在に調節できる構造を有する枕の保持器具。
【請求項３】
請求項１に記載の螺旋状の芯材と結合するナット部材を手動で回転させる構造に代えて電動によってナット部材を回転させ又はテコの原理を用いた仕組みを作動させ定置盤と枕を保持する保持盤の角度を自在に調節できる構造を有する枕の保持器具。